(57)【要約】【課題】  本発明の目的は、コイン処理装置の調整が容易であり、組み立て性に優れ、さらに、安価なコイン処理装置を備えるコインボックスを提供することである。【解決手段】投入されたコインの真偽を判別するコイン処理装置と、当該コイン処理装置によって判別された真正コインを保留する金庫と、前記コイン処理装置と前記金庫の収納室を内蔵する箱型の筐体とを含み、前記金庫を前記収納室に出し入れ可能、かつ、収納状態でロック出来るようにしたコイン処理装置を有するコインボックスにおいて、前記筐体は前記コイン処理装置の側方の壁において開口する側部開口を有し、前記開口は前記筐体に着脱可能なカバーによってカバーされ、前記カバーの装着によって前記カバーを前記筐体に施錠し、かつ、前記金庫の収納室に面して前記筐体内に配置された解除操作部により開錠可能な施錠装置を有することを特徴とするコイン処理装置を有するコインボックスである。【選択図】図6
2007334722.tif 000002
【特許請求の範囲】
【請求項１】
投入されたコインの真偽を判別するコイン処理装置(104)と、
当該コイン処理装置によって判別された真正コインを保留する金庫(106)と、
前記コイン処理装置と前記金庫の収納室(154)を内蔵する箱型の筐体(102)とを含み、
前記金庫を前記収納室に出し入れ可能、かつ、収納状態でロック出来るようにしたコイン処理装置を有するコインボックスにおいて、
前記筐体は前記コイン処理装置の側方の壁において開口する側部開口(128、132、134)を有し、
前記開口は前記筐体に着脱可能なカバー(108)によってカバーされ、
前記カバーの装着によって前記カバーを前記筐体に施錠し、かつ、前記金庫の収納室に面して前記筐体内に配置された解除操作部(208)により開錠可能な施錠装置(112)を有することを特徴とするコイン処理装置を有するコインボックス。
【請求項２】
請求項１のコイン処理装置を有するコインボックスおいて、
前記施錠装置は、
前記カバーに固定されたフック(202、204)と、
前記筐体にスライド可能に取り付けられ、前記フックにより移動され、かつ、前記フックによりフックされるストッパ(206)と、
前記ストッパは前記収納室に面して形成された操作部(268)と
を含んでいることを特徴とする。
【発明の詳細な説明】
【技術分野】
【０００１】
本発明は、コイン処理装置を有するコインボックスに関する。
特に、コイン処理装置の調整や組み付け作業性、及び、防犯性に優れたコイン処理装置を有するコインボックスに関する。
さらには、安価に製造できるコイン処理装置を有するコインボックスに関する。
【背景技術】
【０００２】
従来技術として、立方体形フレーム枠の正面にコイン投入口を有するフロントパネルが配置され、その下方に金庫たるコインボックスが着脱される開口が形成され、フレーム枠の側面はサイドパネルによってカバーされ、当該サイドパネルは、コインボックスを装着した場合、コインボックスのフロントカバーによって遮蔽される位置において筐体にネジ止めするコインタイマボックスが知られている。(例えば、特許文献１)。
【０００３】
【特許文献１】特開平１０−１４３７２１号(図１―５、第２―４頁)
【発明の開示】
【発明が解決しようとする課題】
【０００４】
従来技術のコインタイマボックスにおいて、コイン投入口の背後に配置されるコイン処理装置のメンテナンスや調整を行う場合、コインボックスを取り外して止めネジを取り除いた後、サイドカバーを取り外して行う必要がある。
このため、サイドカバーを着脱する際、止めネジを回さねばならないため、作業が煩雑である問題がある。
【課題を解決するための手段】
【０００５】
本発明の第１の目的は、コイン処理装置の調整が容易なコイン処理装置を備えるコインボックスを提供することである。
本発明の第２の目的は、組み立て性に優れたコイン処理装置を備えるコインボックスを提供することである。
本発明の第３の目的は、安価なコイン処理装置を備えるコインボックスを提供することである。
【０００６】
この目的を達成するため、請求項１の発明は以下のように構成される。
投入されたコインの真偽を判別するコイン処理装置と、当該コイン処理装置によって判別された真正コインを保留する金庫と、前記コイン処理装置と前記金庫の収納室を内蔵する箱型の筐体とを含み、前記金庫を前記収納室に出し入れ可能、かつ、収納状態でロック出来るようにしたコイン処理装置を有するコインボックスにおいて、前記筐体は前記コイン処理装置の側方の壁において開口する側部開口を有し、前記開口は前記筐体に着脱可能なカバーによってカバーされ、前記カバーの装着によって前記カバーを前記筐体に施錠し、かつ、前記金庫の収納室に面して前記筐体内に配置された解除操作部により開錠可能な施錠装置を有することを特徴とするコイン処理装置を有するコインボックスである。
請求項２の発明は、請求項１のコイン処理装置を有するコインボックスおいて、前記施錠装置は、前記カバーに固定されたフックと、前記筐体にスライド可能に取り付けられ、前記フックにより移動され、かつ、前記フックによりフックされるストッパと、前記ストッパは前記収納室に面して形成された操作部とを含んでいることを特徴とする。
【発明の効果】
【０００７】
この構成において、コイン処理装置の側面は筐体の開口に面している。
この側面開口は、筐体に着脱可能なカバーによって遮蔽される。
カバーは、筐体に取り付けられる際、施錠装置によって自動的に施錠される。
カバーを筐体から外す場合、金庫を開錠して筐体の金庫収納室から引き出す。
次に収納室に手を差し込んで解除操作部を操作して施錠装置を開錠する。
これにより、カバーが開錠されるのでカバーを筐体から取り外すことができる。
カバーを取り外した場合、コイン処理装置の側面は筐体の開口に面しているので、コイン処理装置の側面に配置されている各種の調整装置等を容易に操作できる。
また、機械式のコイン処理装置が用いられている場合、開口を通して機械部のメンテナンスをすることができる。
さらに、電気式のコイン処理装置が用いられる場合、開口を通して配線作業等をすることができるので、作業がし易くなり、生産性の向上や接続の確実性等品質の向上を図ることができる。
【０００８】
本発明は、施錠装置が、前記カバーに固定されたフックと、前記筐体にスライド可能に取り付けられ、前記フックにより移動され、かつ、前記フックによりフックされるストッパと、前記ストッパは前記収納室に面して形成された操作部とを含んでいることが好ましい。
この構造において、カバーが筐体に取り付けられる際、カバーに一体的に取り付けられたフックによってストッパがスライドされる。
このスライドにより、ストッパがフックにより自動的にフックされるので、カバーを筐体にロックするための作業を何ら要しない。
また、カバーを取り外す場合、金庫を取り外し、金庫の収納室に面しているストッパの操作部を操作してストッパをスライドすることにより、フックから外すことができ、カバーのロックを開錠することができる。
よって、筐体にロックされている金庫を取り外さなければカバーのロックを開錠できないので安全性が確保され、さらにストッパの操作部を操作することによりストッパをフックから開錠できるので、簡単な操作でカバーを取り外すことができる利点がある。
さらに、施錠装置はメカニカルな簡単な機構により構成されているので、安価に製作できる利点がある。
【発明を実施するための最良の形態】
【０００９】
投入されたコインの真偽を判別するコイン処理装置と、当該コイン処理装置によって判別された真正コインを保留する金庫と、前記コイン処理装置と前記金庫の収納室を内蔵する箱型の筐体とを含み、前記金庫を前記収納室に出し入れ可能、かつ、収納状態でロック出来るようにしたコイン処理装置を有するコインボックスにおいて、前記筐体は前記コイン処理装置の側方の壁において開口する側部開口を有し、前記開口は前記筐体に着脱可能なカバーによってカバーされ、前記カバーの装着によって前記カバーを前記筐体に施錠し、かつ、前記金庫の収納室に面して前記筐体内に配置された解除操作部により開錠可能な施錠装置を有し、前記施錠装置が、前記カバーに固定されたフックと、前記筐体にスライド可能に取り付けられ、前記フックにより移動され、かつ、前記フックによりフックされるストッパと、前記ストッパは前記収納室に面して形成された操作部とを含んでいることを特徴とするコイン処理装置を有するコインボックスである。
【実施例】
【００１０】
図１は、本発明の実施例のコイン処理装置を備えたコインボックスの斜視図である。
図２は、本発明の実施例のコイン処理装置を備えたコインボックスの筐体の斜視図である。
図３は、本発明の実施例のコイン処理装置を備えたコインボックスの右側側壁を切除した斜視図である。
図４は、図２におけるA面での断面図である。
図５は、本発明の実施例のコイン処理装置を備えたコインボックスの施錠装置の拡大図である。
図６は、本発明の実施例のコイン処理装置を備えたコインボックスのカバーを装着する途上の斜視図である。
図７は、本発明の実施例のコイン処理装置を備えたコインボックスのカバーを装着する途上の説明図である。
【００１１】
コインボックス100は、筐体102、コイン処理装置104、金庫106、カバー108及びカバー108の施錠装置112を含んでいる。
【００１２】
まず、筐体102を説明する。
筐体102は、矩形のボックス形であって、コイン処理装置104がそのフロントパネル114を前面に露出した状態で内蔵され、かつ、金庫106の前面がフロントパネル114の下方の前面に露出した状態で内蔵され、かつ、カバー108の施錠装置112も内蔵される。
筐体102は、底板116、背板118、右下部側板122、左下部側板124、及び、前方枠125によりモノコック構造により構成される。
すなわち、平板矩形の底板116の左側に矩形及び背板118側が三角形に伸びる左下部側壁124が一体に形成される。
また、底板116の右側に矩形及び背板118側が三角形に伸びる右下部側壁122と矩形の背板118が一体に形成される。
背板118、右下部側板122及び左下部側板124が底板116に対しほぼ垂立するよう組み合わされてスポット溶接等により一体化されている。
これにより、前面開口126、上面開口128並びに左上部側面開口132及び右上部側面開口134を有する基本筐体136が構成される。
この基本筐体136の前面近傍の左下部側板124及び右下部側板122の内面に倒立Ｌ形の右ブラケット142、左ブラケット144を縦向きに固定し、前方枠125を構成する。
なお、背板118の上端部には、カバー108から下向きに突出する位置決め片146を受け入れる溝を形成するため、上端部が拡開するサポート板148が固定されている。
右下部側板122及び左下部側板124の上端部間に平板の収納室仕切板150が底板116に対し平行に固定されている。
これにより、収納室仕切板150と底板116によって上下を画定され、右下部側板122及び左下部側板124によって左右を画定され、かつ、奥板151によって背面を仕切られ、基本筐体136の下部前面に矩形の装着開口152を有する金庫106の金庫収納室154が画定される。
この金庫収納室154には、装着開口152から金庫106が挿入され、ロック装置155によって基本筐体136にロックされる。
左下部側板124の内面に当該左下部側板124の上縁よりも上方に突出する遮蔽案内突部156a、156ｂ、156ｃを形成した遮蔽板157が固定されている。
換言すれば、凹部158a、158bが形成されている。
右下部側板122の内面に上方に所定の間隔で突出する遮蔽案内突部162a、162ｂ、162ｃ、162dを有する遮蔽板163が固定されている。
換言すれば、凹部164a、164b、164cが形成されている。
【００１３】
次にカバー108を説明する。
カバー108は、筐体102に固定され、筐体102の上面開口128並びに左上部側面開口132及び右上部側面開口134を覆う機能を有する。
カバー108は、上面開口128に相対する上面壁165、左上部側面開口132に相対する左上部側面壁166及び右上部側面開口134に相対する右上部側面壁168を有する倒立U形をしている。
カバー108の下部内面には、下方に所定の間隔で突出し、凹部158a、158b、164a、164b、164cにそれぞれ進行するカバー遮蔽案内突起172a、172b・・が形成されている。
カバー108は、筐体102の上方から被せ、上面開口128、左上部側面開口132及び右上部側面開口134を覆うように装着することにより、施錠装置112により自動的にロックされる。
カバー108が筐体102に装着された場合、カバー遮蔽案内突起172a、172b等は、凹部158a、158b、158c、164a、164b、164cに挿入され、かつ、左下部側板124、右下部側板122とカバー108の側板とは突き合わされ、外表面が平滑に形成される。
また、側板の突き合わせ部の内方は、遮蔽案内突部156a、156ｂ、156ｃ、162a、162ｂ、162ｃ、162d及びカバー遮蔽案内突起172a、172b・・によって遮蔽される。
よって、側板の突き合わせ部からスクリュードライバー等が差し込まれ、カバー108を強引に外されることがなく、安全性に優れている。
【００１４】
次にコイン処理装置104を説明する。
コイン処理装置104は、例えば投入された硬貨の真偽を判別する硬貨選別装置、若しくは、真正ICコインの読み込み又は書き込み機能を有する装置である。
本実施例において、コイン処理装置104はICコインに記憶されている情報を読み込み、読み込んだ情報からICコインの真偽を判別し、真正ICコインを金庫106に送り込む機能を有する。
コイン処理装置104は、垂立するフロントパネル114の中央上部にコイン投入口174、その下方に形成された返却口176、コイン投入口174の後方に情報処理部178が配置されている。
情報処理部178は、ICコインと通信し、記憶されている情報から真正ICコインを判別し、偽ICコインを返却口176へ返却し、真正ICコインを受入れ、金庫106へ送り込む。
コイン処理装置104は、取り付けブラケット182に角根ネジ184によって四隅を固定されている。
取り付けブラケット182は、左右ブラケット142、144の係止孔186にフックされ、下端部を収納室仕切り板150の丸孔187を介して差し込まれたファスナー(図示せず)によって固定されている。
換言すれば、コイン処理装置104は、筐体102の前面上部開口188に挿入され、左右ブラケット142、144に固定されている。
コイン処理装置104によって真正と判別されたICコインは、収納室仕切り板150に形成され、ICコインよりも僅かに大きく形成された通孔192を通って金庫収納室154に落下する。
ICコイン処理装置104の調整用のボリューム194、設定切り換え用のディップスイッチ196及びリセット用のスイッチ198が右側面に配置されている。
したがって、これらの調整は右上部側面開口134を介して行うことができる。
また、ICコイン処理装置104の背面には電源や他装置との通信用のリード線が接続されるコネクタ199が取り付けられている。
リード線は、背板118に取り付けられたコネクタ200に接続される。
リード線のコネクタ199への脱着作業は、上面開口128、左上部側面開口132及び右上部側面開口134を介して行うことが出来る。
【００１５】
次に金庫106を説明する。
金庫106は、コイン処理装置104から受け入れた真正ICコインを保留する機能を有する。
金庫106は、上面が開口された箱形であって、装着開口152から金庫収納室154に挿入し、ロック装置155によって筐体102に固定される。
ICコインを回収する場合、ロック装置155を解除して金庫106を抜き出した後、回収する。
【００１６】
次にカバー108の施錠装置112を説明する。
施錠装置112は、カバー108を筐体102に施錠する機能を有する。
よって、施錠装置112は同様の機能を有すれば、他の装置に変更することができる。
施錠装置112は、カバー108の左上部側面壁166、右上部側面壁168にそれぞれ固定された左係止フック202(図示せず)、右係止フック204、ストッパ206及び解除操作部208を含んでいる。
まず、左係止フック202、右係止フック204を説明する。
左係止フック202、右係止フック204は同一構成であるので、右係止フック204を代表して説明する。
右係止フック204は、板状であってカバー108の右上部側面壁168の内面に固定され、その下縁よりも下方に突出している。
右係止フック204の背板118側の下部側縁は、前面開口126側に傾斜する押動縁207に形成されている。
押動縁207の上端部に続いて横向きU形状の係止凹部208が形成されている。
係止凹部208の下縁212は下向きに傾斜している。
この下縁212は、ストッパ206の係止部214を係止可能であり、この係止状態が施錠装置112の施錠状態である。
収納室仕切板150には、左係止フック202に相対した左受入孔216、右係止フック204に相対した右受入孔218が形成されている。
カバー108が筐体102に装着される場合、左係止フック202は左受入孔216に進行し、右係止フック204は右受入孔218に進行する。
施錠装置112は、本実施例のようにカバー108の装着作業によって筐体102に自動的に施錠されることが好ましい、しかし、カバー108を筐体102に装着後、作業者が金庫収納室154に手を挿入し、施錠装置112を操作して施錠するように構成することができる。
【００１７】
次にストッパ206を説明する。
ストッパ206は、左係止フック202、右係止フック204の係止凹部208と協働してカバー108を筐体102に施錠し、かつ、開錠する機能を有する。
ストッパ206は、矩形板状であり、スライド装置220によって収納室仕切板150に沿って長手方向にスライド可能に取り付けられている。
スライド装置220は、ストッパ206に形成された長孔222、224と、収納室仕切板150から上方に突出する棒状の案内体226、228及びそれら案内体に螺合したナット232、234を含んでいる。
詳述すれば、案内体226、228がそれぞれ長孔222、224に挿入され、ワッシャ(図示せず)を介してナット232、234を案内体226、228の先端部にねじ込むことにより、ストッパ206が収納室仕切板150に沿って長孔222、224の範囲でスライド可能である。
なお、ナット232、234はロックナット等によりロックされる。
ストッパ206がスライドされる場合、その左右端縁がそれぞれ左下部側板124、右下部側板122に案内され、収納室仕切板150に沿ってほぼ平行移動する。
ストッパ206は、左受入孔216に相対して位置し、かつ、左係止フック202の押動縁207によって押される左被動部242、及び、右受入孔218に相対して位置し、かつ、右係止フック204の押動縁207によって押される右被動部244を有する。
また、ストッパ206は、カバー108が筐体102に装着された場合、係止部214が係止凹部208に進行するよう付勢手段236によって付勢される。
付勢手段236は、スプリング246、248であり、収納室仕切板150に突設した引っ掛け体252、254とストッパ206から突設した掛止部256、258との間に引っ掛けられている。
ストッパ206は、スプリング246、248によって図4において下方へ引かれ、位置規制体262、264に突き当れられることにより待機位置266に保持される。
なお、付勢手段236は、スプリング以外の弾性体を使用することができる。
【００１８】
次に解除操作部208を説明する。
解除操作部208は、ストッパ206を係止凹部208から外すために操作される機能を有する。
よって、解除操作部208は、同様の機能を有する他の手段に変更することができる。
解除操作部208は、ストッパ206から上向きに折り曲げた操作片268、操作片268に隣接して開口した操作開口272、及び、収納室仕切板150に操作片268に相対して形成した通孔274を含んでいる。
金庫収納室154及び通孔274を経由して操作開口272から上方につき出した指先を操作片268にあてがい、操作片268を図4において上方へ押し上げる。
これにより、ストッパ206が図4において上方へ押し上げられる。
換言すれば、ストッパ206が図5において右方へ移動されるので、ストッパ206の係止部214が係止凹部208から抜き出され、施錠装置112が開錠される。
【００１９】
次に本実施例の作用を説明する。
まず本コインボックス100を製作する場合、筐体102とカバー108が個別に製作される。
角根ネジ184によって取り付けブラケット182に固定されたコイン処理装置104は、筐体102の前面上部開口188から情報処理部178が筐体102内に挿入され、取り付けブラケット182のフック部を左ブラケット144、右ブラケット142の係止孔186にフックした後、丸孔187に金庫収納室154内から挿入したファスナーによって固定する。
この状態において、背板118の下部のコネクタ200から伸びているリード線のコネクタをコイン処理装置104の背面のコネクタ199に結合し、配線を完了する。
この結合作業は、左上部側面開口132、右上部側面開口134若しくは上面開口128から手を挿入してコネクタ199を見ながら行えるので結合作業が容易であり、かつ、結合状態も目視できるので、結合不良を防止することができる。
次に、図6に示すように、カバー108を筐体102の上方から被せる。
詳細には、左係止フック202を左受入孔216に挿入し、右係止フック204を右受入孔218に挿入して押し下げる。
これにより、左係止フック202、右係止フック204の押動縁207はストッパ206の係止部214の先端に接する。
左係止フック202、右係止フック204の背縁は、左受入孔216、右受入孔218の端縁219によって案内されるので、押し下げられた場合、左係止フック202、右係止フック204は、ほぼ垂直下方へ移動する。
これにより、押動縁207は下向きの斜面であるため、ストッパ206は図5において右方へ押されて金庫仕切り板150に沿ってスライドされる。
ストッパ206の係止部214の先端が押動縁207を過ぎた場合、ストッパ206は付勢手段236によって係止凹部208に向かってスライドされる。
これにより、ストッパ206の係止部214が係止凹部208の下縁212を押すので、左係止フック202、左係止フック204はくさび作用によって下方へ押し下げられる。
換言すれば、カバー108の左上部側面壁166、右上部側面壁168の下端は、それぞれ左下部側板118、右下部側板122の上端に突き当てられた状態で施錠装置112が自動的に施錠される。
この後、金庫106を装着開口152から金庫収納室154に挿入し、ロック装置155によってロックする。
これにより、カバー108の施錠装置112は、金庫106のロック装置155を開錠せねば外すことができないので、安全性が確保される。
【００２０】
次にコイン処理装置104の設定を変更する場合を説明する。
まずロック装置155を開錠して金庫106を金庫収納室154から引き抜く。
次に装着開口152から挿入した指先を通孔274を介して操作開口272に挿入し、操作片268にあてがって押し込む(図4において上方へ押す)。
これにより、ストッパ206は図5において右方へスライドされる。
ストッパ206のスライドにより、ストッパ206の係止部214が係止凹部208から外れる。
換言すれば、カバー108の施錠装置112が開錠される。
施錠装置112が開錠されている間に、カバー108を上方へ引き上げることにより、カバー108を筐体102から取り外すことができる。
これにより、筐体102の上面開口128、左上部側面開口132及び右上部側面開口134が開口される。
よって、右上部側面開口134から工具を差し込んでボリューム194、ディップスイッチ196を操作して設定を変更する。
カバー108を装着する場合、前述同様に装着する。
【図面の簡単な説明】
【００２１】
【図１】図１は、本発明の実施例のコイン処理装置を備えたコインボックスの斜視図である。
【図２】図２は、本発明の実施例のコイン処理装置を備えたコインボックスの筐体の斜視図である。
【図３】図３は、本発明の実施例のコイン処理装置を備えたコインボックスの右側側壁を切除した斜視図である。
【図４】図４は、図２におけるA面での断面図である。
【図５】図５は、本発明の実施例のコイン処理装置を備えたコインボックスの施錠装置の拡大図である。
【図６】図６は、本発明の実施例のコイン処理装置を備えたコインボックスのカバーを装着する途上の斜視図である。
【図７】図７は、本発明の実施例のコイン処理装置を備えたコインボックスのカバーを装着する途上の説明図である。
【符号の説明】
【００２２】
102  筐体
104  コイン処理装置
106  金庫
108  カバー
112  施錠装置
128、132、134  側部開口
154  収納室
202、204  フック
206  ストッパ
208  解除操作部
268  操作部
【図１】
2007334722.tif 000003
【図２】
2007334722.tif 000004
【図３】
2007334722.tif 000005
【図４】
2007334722.tif 000006
【図５】
2007334722.tif 000007
【図６】
2007334722.tif 000008
【図７】
2007334722.tif 000009